(57)【要約】【課題】電線束へ止水剤を幅広く均等に塗布して止水処理の作業性を向上させることが可能な止水剤塗布ノズルを提供すること。【解決手段】複数本の電線Ｃを整列させた電線束ＣＴに対して、電線Ｃの整列方向に沿って止水剤を塗布する固定側ノズル２０であって、止水剤が送り込まれる供給路３１と、供給路３１に送り込まれる止水剤を電線Ｃへ向かって吐出する吐出口３２と、供給路３１と吐出口３２との間に設けられ、吐出口３２からの止水剤の吐出方向と直交する断面積が吐出口３２よりも大きな空隙からなり、供給路３１から送り込まれる止水剤を貯留する貯留部３３と、を備える。【選択図】図４
2019098221.tif 000002
【特許請求の範囲】
【請求項１】
複数本の電線を整列させた電線束に対して、前記電線の整列方向に沿って止水剤を塗布する止水剤塗布ノズルであって、
前記止水剤が送り込まれる供給路と、
前記供給路に送り込まれる前記止水剤を前記電線へ向かって吐出する吐出口と、
前記供給路と前記吐出口との間に設けられ、前記吐出口からの前記止水剤の吐出方向と直交する断面積が前記吐出口よりも大きな空隙からなり、前記供給路から送り込まれる前記止水剤を貯留する貯留部と、
を備えることを特徴とする止水剤塗布ノズル。
【請求項２】
前記吐出口における前記止水剤の吐出方向前方側に、前記止水剤を保持する保持凹部を有する
ことを特徴とする請求項１に記載の止水剤塗布ノズル。
【請求項３】
前記吐出口は、前記電線の整列方向と直交する方向に沿って形成されたスリットからなる
ことを特徴とする請求項１または請求項２に記載の止水剤塗布ノズル。
【請求項４】
前記吐出口は、前記電線の整列方向と直交する方向に沿って配列された複数の孔部からなる
ことを特徴とする請求項１または請求項２に記載の止水剤塗布ノズル。
【発明の詳細な説明】
【技術分野】
【０００１】
本発明は、止水剤塗布ノズルに関する。
【背景技術】
【０００２】
例えば、車体パネル等に取り付けられるグロメットに挿通される複数本の電線を束ねたワイヤハーネスは、そのグロメットへの挿通箇所に止水剤を塗布することで止水処理が施される。
【０００３】
このワイヤハーネスの止水処理の仕方としては、ワイヤハーネスを構成する電線束に止水剤を塗布してシートを巻き付け、このシートの外側から長手方向へ順次加圧することで、ワイヤハーネスの各電線間に止水剤を浸透させる方法が知られている（例えば、特許文献１参照）。
【０００４】
このようにワイヤハーネスの止水処理を行う際に電線束へ止水剤を塗布する装置として、フラットに整列させた電線に対して、その両側から止水剤塗布ノズルによって整列方向へ止水剤を塗布するものが知られている（例えば、特許文献２，３参照）。
【先行技術文献】
【特許文献】
【０００５】
【特許文献１】特許第４１１８７６９号公報
【特許文献２】特開２００４−５５２６７号公報
【特許文献３】特開２００８−１８１８１５号公報
【発明の概要】
【発明が解決しようとする課題】
【０００６】
上記のように、ワイヤハーネスの止水処理は、電線束への止水剤の塗布後に、長手方向へ順次加圧して止水剤を拡散させる煩雑な作業を伴っている。この場合、電線束へ止水剤を塗布するノズルの吐出口を幅広にして止水剤の塗布幅を広くすれば、煩雑な止水剤の拡散作業の削減が可能である。しかし、ノズルの吐出口を単純に幅広にすると、吐出口の広げた幅方向において止水剤の吐出圧に偏りが生じ、止水剤が電線束へ均等に塗布されず、塗布ムラが生じてしまうおそれがある。
【０００７】
本発明は、上述した事情に鑑みてなされたものであり、その目的は、電線束へ止水剤を幅広く均等に塗布して止水処理の作業性を向上させることが可能な止水剤塗布ノズルを提供することにある。
【課題を解決するための手段】
【０００８】
前述した目的を達成するために、本発明に係る止水剤塗布ノズルは、下記（１）〜（４）を特徴としている。
（１）  複数本の電線を整列させた電線束に対して、前記電線の整列方向に沿って止水剤を塗布する止水剤塗布ノズルであって、
前記止水剤が送り込まれる供給路と、
前記供給路に送り込まれる前記止水剤を前記電線へ向かって吐出する吐出口と、
前記供給路と前記吐出口との間に設けられ、前記吐出口からの前記止水剤の吐出方向と直交する断面積が前記吐出口よりも大きな空隙からなり、前記供給路から送り込まれる前記止水剤を貯留する貯留部と、
を備えることを特徴とする止水剤塗布ノズル。
（２）  前記吐出口における前記止水剤の吐出方向前方側に、前記止水剤を保持する保持凹部を有する
ことを特徴とする（１）に記載の止水剤塗布ノズル。
（３）  前記吐出口は、前記電線の整列方向と直交する方向に沿って形成されたスリットからなる
ことを特徴とする（１）または（２）に記載の止水剤塗布ノズル。
（４）  前記吐出口は、前記電線の整列方向と直交する方向に沿って配列された複数の孔部からなる
ことを特徴とする（１）または（２）に記載の止水剤塗布ノズル。
【０００９】
上記（１）の構成の止水剤塗布ノズルによれば、供給路から送り込まれる止水剤が、吐出口からの止水剤の吐出方向と直交する断面積が吐出口よりも大きな空隙からなる貯留部に一旦貯留され、止水剤の供給圧が貯留部で分散される。したがって、吐出口から電線束へ向かって吐出される止水剤の吐出圧の偏りを抑制し、電線束に対して止水剤を均等に塗布することができる。
これにより、吐出口の幅を広げても電線束へ止水剤をムラなく塗布することができる。したがって、止水処理工程において止水剤の塗布後に長手方向へ順次加圧して止水剤を拡散させる拡散作業を削減させ、止水処理の作業性を向上させることができる。
上記（２）の構成の止水剤塗布ノズルによれば、電線束へ止水剤を塗布する際に、吐出口から吐出された止水剤が電線の接触によってそぎ落ちるのを抑制でき、電線束へ塗布する止水剤の均一な塗布厚を確実に確保することができる。
上記（３）の構成の止水剤塗布ノズルによれば、電線の整列方向と直交する方向に沿って形成されたスリットから止水剤が幅方向に連続して均等に吐出される。これにより、電線を整列させた電線束に対して止水剤を塗布ムラなく均等に幅広く塗布することができる。
上記（４）の構成の止水剤塗布ノズルによれば、吐出口とされた複数の孔部から止水剤を均等に吐出させて電線束に対して止水剤を幅広く塗布することができる。また、吐出口を複数の孔部とすることで、各孔部から止水剤を高い吐出圧で遠くへ飛ばすことができる。これにより、離れた電線束の電線に対しても確実に止水剤を塗布することができる。
【発明の効果】
【００１０】
本発明によれば、電線束へ止水剤を幅広く均等に塗布して止水処理の作業性を向上させることが可能な止水剤塗布ノズルを提供できる。
【００１１】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１２】
【図１】図１は、止水剤塗布装置の構成を説明する概略側面図である。
【図２】図２は、止水剤塗布装置の下端部における概略側面図である。
【図３】図３は、本実施形態に係る止水剤塗布ノズルである固定側ノズルの斜視図である。
【図４】図４は、本実施形態に係る止水剤塗布ノズルである固定側ノズルの正面図である。
【図５】図５は、図４におけるＡ−Ａ断面図である。
【図６】図６は、図４におけるＢ−Ｂ断面図である。
【図７】図７は、図６におけるＣ部拡大図である。
【図８】図８は、本実施形態に係る止水剤塗布ノズルである可動側ノズルの斜視図である。
【図９】図９は、本実施形態に係る止水剤塗布ノズルである可動側ノズルの正面図である。
【図１０】図１０は、図９におけるＤ−Ｄ断面図である。
【図１１】図１１は、図９におけるＥ−Ｅ断面図である。
【図１２】図１２は、図１１におけるＦ部拡大図である。
【図１３】図１３は、参考例に係るノズルを示す図であって、図１３（ａ）はノズルの正面図、図１３（ｂ）は吐出口を幅広にしたノズルの正面図である。
【図１４】図１４は、変形例に係る固定側ノズルの斜視図である。
【図１５】図１５は、変形例に係る固定側ノズルの正面図である。
【図１６】図１６は、変形例に係る可動側ノズルの斜視図である。
【図１７】図１７は、変形例に係る可動側ノズルの正面図である。
【発明を実施するための形態】
【００１３】
以下、本発明に係る実施の形態の例を、図面を参照して説明する。
【００１４】
（止水剤塗布装置）
図１は、止水剤塗布装置の構成を説明する概略側面図である。
【００１５】
図１に示すように、止水剤塗布装置１０は、インナー１１と、二つのアウター１２とを備えている。この止水剤塗布装置１０は、複数本の電線を束ねたワイヤハーネスのグロメットへの挿通箇所に止水処理を施すために、ワイヤハーネスを構成する電線束の所定箇所に止水剤を塗布する装置である。止水剤塗布装置１０で電線束に止水剤が塗布されたワイヤハーネスは、その止水剤の塗布箇所にシートが巻き付けられてグロメットへ通される。止水剤としては、シリコーン等の１液性の樹脂を用いるのが好ましいが、２液性の樹脂を用いてもよい。
【００１６】
止水剤塗布装置１０を構成するインナー１１及びアウター１２は、支持ブロック１３に支持されている。インナー１１は、支持ブロック１３に固定されて下方へ延在されている。アウター１２は、インナー１１の両側に配置されている。
【００１７】
インナー１１の端部には、固定側ノズル２０が設けられ、それぞれのアウター１２の端部には、可動側ノズル４０が設けられている。アウター１２は、支持ブロック１３に設けられた取付片１４に回動可能に支持されている。これにより、アウター１２に設けられた可動側ノズル４０は、固定側ノズル２０に対して近接離間方向へ移動可能とされている。
【００１８】
支持ブロック１３とアウター１２との間には、取付片１４におけるアウター１２の支持箇所よりも後端側に圧縮バネ１５が設けられている。これにより、アウター１２の先端に設けられた可動側ノズル４０は、インナー１１の先端に設けられた固定側ノズル２０へ向かって近接する方向へ付勢されている。
【００１９】
支持ブロック１３には、アウター１２の可動側ノズル４０に繋がるチューブ１６が接続されている。この支持ブロック１３には、アダプタ１７が設けられており、このアダプタ１７を介してディスペンサ（図示略）から止水剤が供給される。固定側ノズル２０には、支持ブロック１３に供給される止水剤が、インナー１１に設けられた流路（図示略）を介して供給される。可動側ノズル４０には、支持ブロック１３に供給される止水剤が、チューブ１６を介して供給される。固定側ノズル２０は、供給される止水剤を両側へ向かって吐出し、可動側ノズル４０は、供給される止水剤を、それぞれ片側である内側へ吐出する。
【００２０】
図２は、止水剤塗布装置の下端部における概略側面図である。
【００２１】
図２に示すように、止水剤塗布装置１０は、ワイヤハーネスを構成する複数本の電線Ｃを二つの電線束ＣＴに分割した状態で、その電線束ＣＴの間にインナー１１の固定側ノズル２０が挿し込まれ、電線束ＣＴの外側にアウター１２の可動側ノズル４０が配置される。この状態で、電線束ＣＴの電線Ｃは、インナー１１側である内側を基準としてフラットに整列される。
【００２２】
止水剤塗布装置１０は、電線束ＣＴに対して電線Ｃの整列方向へ相対的に移動されることで、固定側ノズル２０から吐出される止水剤を各電線束ＣＴの基準とされた一方側に塗布し、可動側ノズル４０から吐出される止水剤を各電線束ＣＴの基準と反対の他方側に塗布する。
【００２３】
（固定側ノズル）
図３は、本実施形態に係る止水剤塗布ノズルである固定側ノズルの斜視図である。図４は、本実施形態に係る止水剤塗布ノズルである固定側ノズルの正面図である。図５は、図４におけるＡ−Ａ断面図である。図６は、図４におけるＢ−Ｂ断面図である。図７は、図６におけるＣ部拡大図である。
【００２４】
図３及び図４に示すように、固定側ノズル２０は、ノズル本体２１に、一対の吐出部２２を有している。それぞれの吐出部２２は、供給路３１と、吐出口３２と、貯留部３３とを有している。ノズル本体２１は、その下部に、下方へ向かって次第に窄まるガイド部２３を有しており、電線束ＣＴ間へ円滑に挿し込み可能とされている。
【００２５】
供給路３１は、ノズル本体２１の上部で開口されており、インナー１１の流路と連通される。これにより、供給路３１には、インナー１１の流路から止水剤が送り込まれる。供給路３１は、ノズル本体２１の下方へ向かってノズル本体２１の幅方向の中央へ傾斜されている。
【００２６】
吐出口３２は、電線Ｃの整列方向と直交する方向、つまり、ノズル本体２１の幅方向に沿って形成されたスリットＳからなるもので、ノズル本体２１の側面に設けられている。吐出口３２は、供給路３１に供給された止水剤を電線束ＣＴに向かって吐出する。
【００２７】
図５及び図６に示すように、貯留部３３は、ノズル本体２１における供給路３１と吐出口３２との間に設けられている。貯留部３３は、吐出口３２に対してノズル本体２１の奥側で、ノズル本体２１の幅方向に沿って形成されている。この貯留部３３には、その中央で供給路３１が連通されており、この供給路３１から止水剤が送り込まれる。貯留部３３には、長手方向にわたって吐出口３２が連通されており、これにより、貯留部３３に送り込まれた止水剤は、貯留部３３から吐出口３２を構成するスリットＳへ送り出される。この貯留部３３は、吐出口３２からの止水剤の吐出方向と直交する断面積が吐出口３２よりも大きな空隙からなるもので、供給路３１から送り込まれる止水剤を貯留する。
【００２８】
図７に示すように、ノズル本体２１の側面には、吐出口３２における止水剤の吐出方向前方側に、保持凹部３５が形成されている。これにより、スリットＳからなる吐出口３２は、保持凹部３５の底部で開口されている。この保持凹部３５には、吐出口３２から吐出される止水剤が保持される。
【００２９】
（可動側ノズル）
図８は、本実施形態に係る止水剤塗布ノズルである可動側ノズルの斜視図である。図９は、本実施形態に係る止水剤塗布ノズルである可動側ノズルの正面図である。図１０は、図９におけるＤ−Ｄ断面図である。図１１は、図９におけるＥ−Ｅ断面図である。図１２は、図１１におけるＦ部拡大図である。
【００３０】
図８及び図９に示すように、可動側ノズル４０は、ノズル本体４１に、吐出部４２を有している。吐出部４２は、供給路５１と、吐出口５２と、貯留部５３とを有している。ノズル本体４１は、支柱部４３と、支柱部４３の下部の幅広部４４とを有している。
【００３１】
供給路５１は、ノズル本体４１の支柱部４３の下部における背面側で開口されており、この供給路５１には、チューブ１６が接続される。これにより、供給路５１には、チューブ１６から止水剤が送り込まれる。供給路５１は、ノズル本体４１の幅広部４４の中央へ向かって延在されている。
【００３２】
吐出口５２は、電線Ｃの整列方向と直交する方向、つまり、ノズル本体４１の幅方向に沿って配列された複数の孔部Ｈからなるもので、ノズル本体４１の幅広部４４の側面に設けられている。吐出口５２は、供給路５１に供給された止水剤を電線束ＣＴに向かって吐出する。
【００３３】
図１０及び図１１に示すように、貯留部５３は、ノズル本体４１の幅広部４４における供給路５１と吐出口５２との間に設けられている。貯留部５３は、吐出口５２に対してノズル本体４１の幅広部４４の奥側で、幅広部４４に沿って形成されている。この貯留部５３には、その中央で供給路５１が連通されており、この供給路５１から止水剤が送り込まれる。図１２に示すように、貯留部５３には、吐出口５２の各孔部Ｈが連通されており、これにより、貯留部５３に送り込まれた止水剤は、貯留部５３から吐出口５２を構成する各孔部Ｈへ送り出される。この貯留部５３は、吐出口５２からの止水剤の吐出方向と直交する断面積が吐出口５２よりも大きな空隙からなるもので、供給路５１から送り込まれる止水剤を貯留する。
【００３４】
（止水剤の塗布）
次に、上記構成の止水剤塗布装置１０によってワイヤハーネスを構成する電線束ＣＴに止水剤を塗布する場合について説明する。
【００３５】
圧縮バネ１５の付勢力に抗してアウター１２を回動させて保持し、インナー１１の固定側ノズル２０からアウター１２の可動側ノズル４０を離間させる。
【００３６】
複数の電線Ｃを二つの電線束ＣＴに分割したワイヤハーネスに対して、固定側ノズル２０を分割した電線束ＣＴ間へ挿し込み、固定側ノズル２０側を基準として各電線束ＣＴの電線Ｃをフラットに整列させ、アウター１２の保持を解除する。このようにすると、アウター１２の可動側ノズル４０が圧縮バネ１５の付勢力によって固定側ノズル２０側へ付勢される。これにより、固定側ノズル２０と可動側ノズル４０とで電線束ＣＴが挟まれた状態とされる。
【００３７】
この状態で、ディスペンサから止水剤を供給することで、固定側ノズル２０及び可動側ノズル４０のそれぞれの吐出部２２，４２の吐出口３２，５２から止水剤を吐出させながら止水剤塗布装置１０を、ワイヤハーネスに対する装着時と反対に引き離すように移動させる。このようにすると、止水剤を吐出する固定側ノズル２０及び可動側ノズル４０が、各電線束ＣＴに対して電線Ｃの整列方向へ移動することで、各電線束ＣＴの表裏に止水剤が帯状に塗布される。
【００３８】
この止水剤の塗布工程において、固定側ノズル２０及び可動側ノズル４０では、供給路３１，５１から送り込まれる止水剤が、吐出口３２，５２からの止水剤の吐出方向と直交する断面積が吐出口３２，５２よりも大きな空隙からなる貯留部３３，５３に一旦貯留され、止水剤の供給圧が貯留部３３，５３で分散される。したがって、吐出口３２，５２から電線束ＣＴへ向かって吐出される止水剤の吐出圧の偏りが抑制される。
【００３９】
そして、固定側ノズル２０では、吐出口３２を構成するスリットＳから止水剤が幅広く均等に吐出される。この吐出口３２から吐出される止水剤は、保持凹部３５に保持された後、電線束ＣＴの基準とされた一方側に幅広く塗布される。
【００４０】
また、可動側ノズル４０では、吐出口５２を構成する複数の孔部Ｈから止水剤が均等に吐出される。したがって、電線束ＣＴには、基準と反対の他方側に幅広く止水剤が塗布される。特に、可動側ノズル４０では、吐出口５２とされた複数の孔部Ｈから止水剤が高い吐出圧で均等に遠くへ飛ばされる。したがって、外径の違いにより可動側ノズル４０からの距離がばらついた電線Ｃに対して止水剤が確実に塗布される。
【００４１】
以上、説明したように、本実施形態に係る止水剤塗布ノズルである固定側ノズル２０及び可動側ノズル４０によれば、供給路３１，５１から送り込まれる止水剤が、吐出口３２，５２からの止水剤の吐出方向と直交する断面積が吐出口３２，５２よりも大きな空隙からなる貯留部３３，５３に一旦貯留され、止水剤の供給圧が貯留部３３，５３で分散される。
【００４２】
ここで、参考例について説明する。
図１３は、参考例に係るノズルを示す図であって、図１３（ａ）はノズルの正面図、図１３（ｂ）は吐出口を幅広にしたノズルの正面図である。
【００４３】
図１３（ａ）に示すように、参考例に係るノズル１は、供給路２と略同一の幅寸法の吐出口３を有している。このノズル１では、止水剤を幅広く塗布することができず、このため、電線束ＣＴへの止水剤の塗布後に、長手方向へ順次加圧して止水剤を拡散させる煩雑な作業を伴うこととなる。この場合、図１３（ｂ）に示すように、吐出口３を幅広にして電線束ＣＴへの止水剤の塗布幅を広くすれば、煩雑な止水剤の拡散作業の削減が可能である。しかし、吐出口３を幅広にすると、吐出口３から吐出される止水剤は、供給路２が連通された中央で吐出圧が高くなり、供給路２から離れた幅方向の両側で吐出圧が低くなる。このように、単純に吐出口３を幅広にすると、吐出口３の広げた幅方向において止水剤の吐出圧に偏りが生じ、止水剤が電線束ＣＴへ均等に塗布されず、塗布ムラが生じてしまうおそれがある。
【００４４】
これに対して、本実施形態では、吐出口３２，５２からの止水剤の吐出方向と直交する断面積が吐出口３２，５２よりも大きな空隙からなる貯留部３３，５３に止水剤を一旦貯留させて供給圧を分散させるので、吐出口３２，５２から電線束ＣＴへ向かって吐出される止水剤の吐出圧の偏りを抑制し、電線束ＣＴに対して止水剤を均等に塗布することができる。
【００４５】
これにより、吐出口３２のスリットＳの幅及び吐出口５２の孔部Ｈの配列の幅を広げても電線束ＣＴへ止水剤をムラなく塗布することができる。したがって、止水処理工程において止水剤の塗布後に長手方向へ順次加圧して止水剤を拡散させる拡散作業を削減させ、止水処理の作業性を向上させることができる。
【００４６】
また、固定側ノズル２０の吐出口３２における止水剤の吐出方向前方側に、止水剤を保持する保持凹部３５を設けたので、電線束ＣＴへ止水剤を塗布する際に、吐出口３２から吐出された止水剤が電線Ｃとの接触によってそぎ落ちるのを抑制でき、電線束ＣＴへ塗布する止水剤の均一な塗布厚を確実に確保することができる。
【００４７】
また、吐出口３２が電線Ｃの整列方向と直交する方向に沿って形成されたスリットＳからなる固定側ノズル２０では、スリットＳから止水剤が幅方向に連続して均等に吐出される。これにより、電線Ｃを整列させた電線束ＣＴに対して止水剤を塗布ムラなく均等に幅広く塗布することができる。
【００４８】
また、吐出口５２が電線Ｃの整列方向と直交する方向に沿って配列された複数の孔部Ｈからなる可動側ノズル４０では、吐出口５２とされた複数の孔部Ｈから止水剤を均等に吐出させて電線束ＣＴに対して止水剤を均等に幅広く塗布することができる。しかも、吐出口５２を複数の孔部Ｈとすることで、各孔部Ｈから止水剤を高い吐出圧で遠くへ飛ばすことができる。これにより、離れた電線束ＣＴの電線Ｃに対しても確実に止水剤を塗布することができる。
【００４９】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５０】
例えば、可動側ノズル４０の吐出口５２における止水剤の吐出方向前方側に、止水剤を保持する保持凹部を形成してもよい。このようにすると、電線束ＣＴへ止水剤を塗布する際に、吐出口５２から吐出された止水剤が電線Ｃとの接触によってそぎ落ちるのを抑制でき、電線束ＣＴへ塗布する止水剤の均一な塗布厚を確実に確保することができる。
【００５１】
ここで、固定側ノズル２０及び可動側ノズル４０の変形例について説明する。
（固定側ノズルの変形例）
図１４は、変形例に係る固定側ノズルの斜視図である。図１５は、変形例に係る固定側ノズルの正面図である。
【００５２】
図１４及び図１５に示すように、この変形例に係る固定側ノズル２０Ａは、電線Ｃの整列方向と直交する方向に沿って配列された複数の孔部Ｈからなる吐出口３２を有しており、これらの孔部Ｈからなる吐出口３２が貯留部３３に連通されている。また、これらの複数の孔部Ｈからなる吐出口３２は、ノズル本体２１におけるガイド部２３に形成されている。
【００５３】
この固定側ノズル２０Ａでは、吐出口３２とされた複数の孔部Ｈから止水剤を均等に吐出させて電線束ＣＴに対して止水剤を均等に幅広く塗布することができる。また、吐出口３２を複数の孔部Ｈとすることで、各孔部Ｈから止水剤を高い吐出圧で遠くへ飛ばすことができ、離れた電線束ＣＴの電線Ｃに対しても確実に止水剤を塗布することができる。
【００５４】
なお、この変形例に係る固定側ノズル２０Ａは、吐出口３２がノズル本体２１におけるガイド部２３に形成されているので、電線束ＣＴに対して吐出口３２が離れた位置に配置されることとなる。したがって、吐出口３２から吐出される止水剤を保持する保持凹部３５がなくても、吐出した止水剤が相対的に移動する電線Ｃとの接触によってそぎ落とされることなく電線Ｃに確実に塗布され、これにより、塗布厚を確実に確保することができる。
【００５５】
（可動側ノズルの変形例）
図１６は、変形例に係る可動側ノズルの斜視図である。図１７は、変形例に係る可動側ノズルの正面図である。
【００５６】
図１６及び図１７に示すように、この変形例に係る可動側ノズル４０Ａは、電線Ｃの整列方向と直交する方向に沿って形成されたスリットＳからなる吐出口５２を有しており、このスリットＳからなる吐出口５２が貯留部５３に連通されている。
【００５７】
この可動側ノズル４０Ａでは、吐出口５２とされたスリットＳから止水剤を幅方向に連続して均等に吐出させて電線束ＣＴに対して止水剤を均等に幅広く塗布することができる。
【００５８】
なお、この変形例に係る可動側ノズル４０Ａの場合も、吐出口５２における止水剤の吐出方向前方側に止水剤を保持する保持凹部を形成してもよい。このようにすると、電線束ＣＴへ止水剤を塗布する際に、吐出口５２から吐出された止水剤が電線Ｃとの接触によってそぎ落ちるのを抑制でき、電線束ＣＴへ塗布する止水剤の均一な塗布厚を確実に確保することができる。
【００５９】
ここで、上述した本発明に係る止水剤塗布ノズルの実施形態の特徴をそれぞれ以下［１］〜［４］に簡潔に纏めて列記する。
［１］  複数本の電線（Ｃ）を整列させた電線束（ＣＴ）に対して、前記電線（Ｃ）の整列方向に沿って止水剤を塗布する止水剤塗布ノズル（固定側ノズル２０，可動側ノズル４０）であって、
前記止水剤が送り込まれる供給路（３１，５１）と、
前記供給路（３１，５１）に送り込まれる前記止水剤を前記電線（Ｃ）へ向かって吐出する吐出口（３２，５２）と、
前記供給路（３１，５１）と前記吐出口（３２，５２）との間に設けられ、前記吐出口（３２，５２）からの前記止水剤の吐出方向と直交する断面積が前記吐出口（３２，５２）よりも大きな空隙からなり、前記供給路（３１，５１）から送り込まれる前記止水剤を貯留する貯留部（３３，５３）と、
を備えることを特徴とする止水剤塗布ノズル。
［２］  前記吐出口（３２）における前記止水剤の吐出方向前方側に、前記止水剤を保持する保持凹部（３５）を有する
ことを特徴とする［１］に記載の止水剤塗布ノズル。
［３］  前記吐出口（３２，５２）は、前記電線（Ｃ）の整列方向と直交する方向に沿って形成されたスリット（Ｓ）からなる
ことを特徴とする［１］または［２］に記載の止水剤塗布ノズル。
［４］  前記吐出口（３２，５２）は、前記電線（Ｃ）の整列方向と直交する方向に沿って配列された複数の孔部（Ｈ）からなる
ことを特徴とする［１］または［２］に記載の止水剤塗布ノズル。
【符号の説明】
【００６０】
２０，２０Ａ：固定側ノズル（止水剤塗布ノズル）
３１，５１：供給路
３２，５２：吐出口
３３，５３：貯留部
３５：保持凹部
４０，４０Ａ：可動側ノズル（止水剤塗布ノズル）
Ｃ：電線
ＣＴ：電線束
Ｈ：孔部
Ｓ：スリット
【図１】
2019098221.tif 000003
【図２】
2019098221.tif 000004
【図３】
2019098221.tif 000005
【図４】
2019098221.tif 000006
【図５】
2019098221.tif 000007
【図６】
2019098221.tif 000008
【図７】
2019098221.tif 000009
【図８】
2019098221.tif 000010
【図９】
2019098221.tif 000011
【図１０】
2019098221.tif 000012
【図１１】
2019098221.tif 000013
【図１２】
2019098221.tif 000014
【図１３】
2019098221.tif 000015
【図１４】
2019098221.tif 000016
【図１５】
2019098221.tif 000017
【図１６】
2019098221.tif 000018
【図１７】
2019098221.tif 000019